Podtech/llm-jp-corpus-v4-ja_patent huggingface dataset:
(57)【特許請求の範囲】
【請求項１】
「障害物除去カバーと流速を増すための水流調整板及び固定用のくい込みツメを取り付けた架台と、水流の増減に合わせて自動的に上下する、一体化されたフロートアーム、水車、発電機、増速機、フロートドラムからなる水力発電装置」。
【発明の詳細な説明】
【技術分野】
【０００１】    本発明は、河川および用水路等に設置する中小型の水力発電装置である。
【背景技術】
【０００２】  一本の軸に多数のプロペラを串団子状に付設し、流れの中に浮遊回転させて発電動力を得る方式のものがある。（例えば、特開昭５９−１８００７０号報）【０００３】  水車発電装置を河川の水流に浮かべ、水流の常時流速によって発電する方式のものがある。（例えば、特開昭６０−１３２０７８号報）
【先行技術文献】
【特許文献】
【０００４】
【特許文献１】  特開昭５９−１８００７０号報
【特許文献２】  特開昭６０−１３２０７８号報
【発明の概要】
【発明が解決しようとする課題】
【０００５】  上記特許文献１、２の内容は、設置に関しては水流や川幅、川岸の形状などの設置環境に制限されやすい。構造的にも作動機構の主要部分が水中にあるものなどはその作動機構や防護装置にかなり難点がある。また大雨などによる急激な増水によって流失したり、流木や流石などの障害物に対して装置が破壊されるなどの難点が見られる。【０００６】  本発明は、このような従来の方式や構成が有していた問題を解決しようとするものであり、水流の性質や河川の形状などの条件や環境による設置条件上の制約を最小限にとどめようとするものである。
【課題を解決するための手段】
【０００７】  本発明は、上記目的を達成するため、防護装置や流速加増装置を取り付けた付属の可動構造物を設け、発電装置部分と一体になるユニット形式とする。また設置環境と関係なく任意の場所に容易に設置できるようにする。このユニットは川幅に合わせて並列に、また水流に沿って直列に、あるいは必要に応じて斜列に複数機の設置を容易に可能にする。
【発明の効果】
【０００８】  この方式の有力な要素として、ユニットを設置する場所の適切な選定や設置配列方法により、河川の湾曲部などに見られる不規則な水流の変動や集中的な水流による川岸や堤防の損傷、損壊、決壊などの予防装置あるいは緩衝装置として応用できるという点にある。
また融雪期の増水、大雨や台風時期の水流の急激な増減や変化による破壊力によって生じる河川の変形、たとえば中州の肥大化による橋梁や護岸構造物など各種の河川構造物に対する悪影響を軽減させるためにも利用できる。【０００９】  さらにこの方式はその構造上において落差堰と同じような機能も果たすので、既存の落差堰の一部をユニットの幅に合わせて切除して設置することができる。また川幅に合わせてユニットを並列に設置すれば落差堰としての活用も可能になり、新たな落差堰の建設工事費が不用になる、または大きく節減できる。【００１０】  上述したように、本発明の水力発電装置は、装置本体の構造の単純さと設置の容易さを追求するとともに、河川環境及び河川や用水路に関する各種構造物の保護にも有用な公共性を持つ装置として提供できるものである。【００１１】  加えて本発明による発電は、電力ネットワ−クシステムの最新技術と言われる「スマ−トクリッド方式」の自然エネルギ−による電力源の主要素の一つとして活用できる。
【図面の簡単な説明】
【００１２】
【図１】  本発明の実施形態を示す水力発電装置の全体図（図２の断面Ａ−Ａ）
【図２】  同水力発電装置の平面図
【発明を実施するための形態】
【００１３】      以下、本発明の実施の形態を図１、図２に基づいて説明する。
【００１４】  図においては、ユニットの本体をなす架台（１）は河川及び用水路などの適切な場所に設置するものである。この架台の入水側には流水と共に流れ下ってくる流木など種々の障害物を除去するための傾斜のついた金網状の障害物除去カバ−（９）が付いている。またこの架台の内部には流速を増すための水流調整板（１０）が取り付けられてあり、架台の最下部の各コ−ナ−には架台をしっかりと川床に固定するためのくい込みツメ（１１）が取り付けられている。
【００１５】  この架台（１）には水流の増減や急変によっても容易に移動しないよう必要かつ十分な重量を持たせてあり、また水流調整板（１０）にかかる水流及び水圧によって発生するベクトル量（作用力）の大部分は架台とくい込みツメ（１１）を川床に向かって押しつけるように作用する。
【００１６】  フロ−トア−ム（３）は支点軸（２）を中心として旋回作動し、これと一体化している動力軸（４）、水車（５）、発電機（６）、増速機（７）、フロ−トドラム（８）と共に水位の変化に合わせて自動的に上下するようになっている。
【００１７】  動力軸（４）には水車（５）と発電機（６）、増速機（７）が取り付けられている。
【００１８】  フロ−トア−ム（３）の先端に取り付けられたフロ−トドラム（８）は、動力軸（４）に取り付けられたすべての部品の総重量から割り出された必要十分な浮力が保たれるように計算されている。
【符号の説明】
【００１９】      １    架台                    ７    増速機
２    支点軸                  ８    フロ−トドラム
３    フロ−トア−ム          ９    障害物除去カバ−
４    動力軸                １０    水流調整板
５    水車                  １１    くい込みツメ
６    発電機
【図１】
0005469124.tif 000002
【図２】
0005469124.tif 000003
(57)【特許請求の範囲】
【請求項１】
１０本の赤松葉を５ｍｍ〜１ｃｍに刻み、該赤松葉と１００ｍｌの水溶液を、容器を設け、該容器に入れ、水温を常時４０〜５０℃に保持し、２４時間〜４８時間静置した後、ミキサーに投下し、ミキサーで攪拌し、その水溶液をペーパーフイルターで濾過し、濾過した水溶液を沈殿又は遠心分離法又は金属ナトリウムを触媒とした蒸留還元法で、水溶液に含まれるタンニンとテルペンアルデヒドが皮膚に有害であるので完全に抽出除去したことを特徴とする発毛促進剤及び／又は松葉トニック。
【請求項２】
テルペン、クエルセチン、ビタミンＣ、クロロフイル（葉緑素）を含有することを特徴とする請求項１に記載の発毛促進剤及び／又は松葉トニック。
【発明の詳細な説明】
【技術分野】
【０００１】  赤松松葉液による髪の発毛、促進のため頭皮に塗布することにより、頭髪の発毛、育毛をうながし抜け毛を予防する塗布剤に関するものである。
【背景技術】
【０００２】  従来、毛髪の脱毛（禿）は男性に限らず、女性でも深刻な問題である。
そのため従来から各種の育毛或は発毛促進剤が開発され、製造、販売されている。
【先行技術文献】
【特許文献】
【０００３】
【特許文献１】  特許第２７５６４４７号
【発明の概要】
【発明が解決しようとする課題】
【０００４】  従来の発明の目的は、高い育毛、発毛促進および脱毛防止作用を有していて、頭部に付与したときに育毛、発毛促進および脱毛防止を良好に行うことができ、しかも人体に対する安全性に優れる発毛促進剤等が製造、販売され、又、種々の化学薬品を組み合わせたものがほとんどであり、成分中に漢方を含むものもあり、又、無機の化学薬品を混合しているものもある。これ等を使用しない生の赤松葉と水溶液と抽出方法等、各種条件で加工したものを使用し、又、有害物質を抽出除去した発毛促進剤・松葉トニックを提供する。
【課題を解決するための手段】
【０００５】  本発明は、生の赤松葉約１０本（乾燥させた赤松葉ではない）を５ｍｍから１ｃｍきざみにして１００ｍｌの水溶液（ミネラルウォーター）に投下し、水温を常時４０℃から５０℃に保持し、２４時間から４８時間静置する。こうする事で赤松葉に含まれるほとんどの物質を水溶液に浸出させる事が出来る。
次に４８時間静置加湿した１００ｍｌの水溶液を（きざんだ赤松葉も含む）ミキサーにて撹拌し、次にペーパーフイルターで濾過する。次にその濾過した水溶液に含まれるタンニンとテルペンアルデヒドが皮膚に有害であるので、これら２つの物質を完全に抽出除去する。抽出除去の方法は、「沈殿分離法」「遠心分離法」「金属ナトリウムを媒体とした蒸留還元法」のいずれかの分離分液法により抽出除去する。この２つの物質を除いた赤松葉葉液を発毛促進剤・松葉トニックとして使用、販売する。
【発明の効果】
【０００６】  この発明の効果は、松葉トニックに含まれる大きく分けて４つの有効成分により発毛促進と髪の維持性の向上という二極の効果があらわれるが、それはテルペン、クエルセチン、ビタミンＣ、クロロフィル（葉緑素）という物質の働きによるものである。この中でもテルペン、クエルセチンが発毛促進に大きな効果を顕す。頭皮へ経皮吸収されたテルペンが頭皮の細胞を活性化し、さらに頭皮へ経皮吸収されたクエルセチンが頭皮の毛細血管を刺激し、血流を促す働きがある。つまり、これら２つの物質の相乗的働きによって発毛が促進され、また既存の髪にも活力を与える事ができる。即ち、高い発毛率を促し、かつ、脱毛率を低下させる事が出来る。脱毛率の低下とは、過度の脱毛を抑制し、適正な脱毛という効果を得る事が可能であると言う事である。これを髪の維持性の向上という。
テルペンはあらゆる植物に含まれる物質であるが、その中でも特に赤松葉に含まれるテルペンは細胞活性化作用が強く、毛母細胞を含め、頭皮全体の細胞を著しく活性、再生する働きをもっており、発毛促進という顕著な効果を示す。
クエルセチンは大きく分けて３つの効果を有する。（１）外用塗布、即ち、経皮吸収により頭皮の毛細血管を刺激し、血流を促し発毛効果を顕す。（２）クエルセチンは高い抗菌力を有し、頭皮のかゆみを抑制する事が可能となる。（３）クエルセチンは抗酸化物質でもあり、この抗酸化作用を有する故に、使用、販売時にビタミンＥなどの防腐剤の添加を必要とせず、１００％天然素材をビンに入れて使用、販売する事を可能とする。
クロロフィル（葉緑素）の消臭、殺菌作用により、頭皮の臭いを抑制する事が可能となる
以上をまとめると発毛促進剤・松葉トニックの効果は５つの効果に集約できる。
（１）テルペンの細胞活性発毛作用により、発毛を促進し、既存の髪にも活力を与え、脱毛率を低下させる。（髪の維持性の向上）
（２）クエルセチンの血流活性発毛作用により、発毛を促進し、既存の髪にも活力を与え、脱毛率を低下させる。（髪の維持性の向上）
（３）テルペンとクエルセチンが同時に経皮吸収される事により、頭皮の細胞及び血流が活性、促進し、結果、頭皮の角質細胞のターンオーバー（皮膚の奥から表面へ押し出され、剥がれ落ちるまでの代謝サイクル）が正常に行われ、フケの発生を抑制する。
（４）クエルセチンの抗菌作用により、頭皮の雑菌の繁殖を抑え、痒みを抑制する事が可能となる。
（５）クロロフィル（葉緑素）の消臭、殺菌作用により、頭皮の臭いを抑制する。
【発明実施するための形態】
【０００７】  薄毛の男女は洗髪後及び一日数回、頭皮をマッサージしながら発毛促進剤・松葉トニックを塗布する。若年層及び女性は脱毛防止の為に洗髪後及び一日数回、頭皮をマッサージしながら頭皮へ発毛促進剤・松葉トニックを塗布する。
【０００８】
0005469146.tif 000002
【産業上の利用可能性】
【０００９】  この発毛促進剤は、発毛と育毛、そして脱毛率の低下という大きな効果を得ることができるので、薄毛の人は無論、薄毛でない若年層及び女性においても極めて有効な発明である。すなわち、発毛促進と髪の維持性を高める（髪の維持性の向上）という二極の効果により、ユーザーの髪の状態を問わず、男女を問わず、年齢を問わず、全ての人が大いに利用できる
【符号の説明】
【００１０】  １  赤松葉約１０本
２  １００ｍｌの水溶液（ミネラルウオーター）
３  水温常時４０℃〜５０℃に保持し２４〜４８時間静置
４  ミキサーにて撹拌
５  ペーパーフイルターにて濾過
６  タンニンとテルペンアルデヒドの有害物出を抽出除去
７  タンニンとテルペンアルデヒドの有害物出を抽出除去した水溶液を１００ｍｌ（容器）にいれて密封する
８  発毛促進飲料・松葉トニック
(57)【特許請求の範囲】
【請求項１】
袋（３）に第一の紐（１）と第二の紐（２）を取り付けたカバンであって、前記第一の紐（１）は、一端部を袋（３）の左側面の幅方向一方側の下部（４）に固定し、他端部を袋（３）の左側面の幅方向一方側の上部に設けたガイド（５）に移動可能に通してから、袋（３）の右側面の幅方向他方側の上部（６）に固定し、前記第二の紐（２）は、一端部を袋（３）の左側面の幅方向他方側の下部（７）に固定し、他端部を袋（３）の左側面の幅方向他方側の上部に設けたガイド（８）に移動可能に通してから、袋（３）の右側面の幅方向一方側の上部（９）に固定したものであり、
前記ガイド（５）（８）はそれぞれ、袋（３）の上端縁に沿って配置され、両端部が袋（３）の左側面に固定された帯片である、ことを特徴とするカバン。
【発明の詳細な説明】
【技術分野】
【０００１】  本発明は、リュックとしても使用できるカバンに関するものである。
【背景技術】
【０００２】  従来のバッグは、持ち手が固定されているのが一般的で、バッグとして使用することが多かった。
先行技術は、リュック兼用バッグが提案されている。（特許文献１参照）
リュックサックタイプ兼ショルダーバッグタイプ用のバッグが提案されている。（特許文献２参照）
【先行技術文献】
【特許文献】
【０００３】
【特許文献１】  特開２００２−１４２８２６号公報
【特許文献２】  特開平８−１５４７２１号公報
【発明の概要】
【発明が解決しようとする課題】
【０００４】  そのために、次のような問題点がある。
本発明はリュックサックとしても使用できるカバンを提供することを課題とする。
本発明は、これらの問題点を解決されるためになされたものである。
【課題を解決するための手段】
【０００５】  本発明が提供するカバンは、袋（３）に第一の紐（１）と第二の紐（２）を取り付けたカバンであって、前記第一の紐（１）は一端の先端部を袋（３）の左側面の下部（４）に固定し、上端部を上部に設けたガイド（５）を介して、左側面の上部に移動可能に取り付け、他端を袋（３）の右側面の上部（６）に固定し、前記第二の紐（２）は一端の先端部を袋（３）の左側面の下部（７）に固定し、上端部を上部に設けたガイド（８）を介して左側面の上部に移動可能に取り付け、他端を袋（３）の右側面の上部（９）に固定したことを特徴とするカバン。
【発明の効果】
【０００６】  本発明のカバンは、第一の紐と第二の紐の移動によって、リュックサックとしても使用できる。
【図面の簡単な説明】
【０００７】
【図１】  本発明の実施例のカバンの左側面図である。
【図２】  本発明の実施例のカバンの右側面図である。
【発明を実施するための形態】
【０００８】  以下、本発明の実施の形態について説明する。
実施例のカバンは、図１、２に示すように袋（３）に第一の紐（１）と第二の紐（２）を取り付けたカバンである。
前記第一の紐（１）は、一端の先端部を袋（３）の左側面の下部（４）に固定し、上端部を上部に設けたガイド（５）を介して左側面の上部に移動可能に取り付け、他端を袋（３）の右側面の上部（６）に固定する。
前記第二の紐（２）は一端の先端部を袋（３）の左側面の下部（７）に固定し、上端部を上部に設けたガイド（８）を介して移動可能に取り付け、他端を袋（３）の右側面の上部（９）に固定したことを特徴とするカバンである。
本発明のカバンは、第一の紐と第二の紐の移動によって、リュックサックとしても使用できる。
【符号の説明】
【０００９】    １  第一の紐
２  第二の紐
３  袋
４  左側面の下部
５  ガイド
６  右側面の上部
７  左側面の下部
８  ガイド
９  右側面の上部
【図１】
0005619941.tif 000002
【図２】
0005619941.tif 000003